(57)【要約】  本発明は、空気入口と、空気出口と、前記空気入口と前記空気出口との間に配設され、少なくとも１つの所定量の揮発性物質を貯蔵し且つ拡散させるのに適した少なくとも１つの拡散要素を収容する容器であって、空気流が流れることを可能にするのに適した少なくとも１つの空気流チャネルが設けられた容器と、前記空気入口と前記空気出口との間に配設されたファンであって、前記空気入口と前記空気出口との間を流れる空気流を生成可能であるファンと、を有し、前記容器と前記ファンは、前記ファンと前記容器との間を流れる空気流の方向が、前記容器の空気流チャネル内を流れる空気流の方向に整列するように配設されている、少なくとも１つの揮発性物質を拡散させるための装置に関する。
2017533006.tif 000002
【特許請求の範囲】
【請求項１】
‐  空気入口と、
‐  空気出口（６）と、
‐  前記空気入口と前記空気出口との間に配設され、少なくとも１つの所定量の揮発性物質を貯蔵し且つ拡散させるように設計された少なくとも１つの拡散要素を収容する容器（４）であって、空気流が流通することを可能にするように設計された少なくとも１つの空気流通ダクトが設けられた容器（４）と、
‐  前記空気入口と前記空気出口との間に配設されたファン（２）であって、前記空気入口と前記空気出口（６）との間を流通する空気流を生成可能であるファン（２）と、
を有し、
前記容器（４）と前記ファン（２）は、前記ファン（２）と前記容器（４）との間を流通する空気流の方向が、前記容器（４）の前記流通ダクト内を流通する空気流の方向に整列するような態様で配設されている、
少なくとも１つの揮発性物質を拡散させるための装置（１、１１、２１、３１）。
【請求項２】
前記容器（４）と前記ファン（２）とを通過する空気流の流路は、実質的に直線状である、
請求項１に記載の少なくとも１つの揮発性物質を拡散させるための装置（１、１１、２１、３１）。
【請求項３】
前記容器（４）と前記ファン（２）は、互いに積層されている、
請求項１又は２に記載の少なくとも１つの揮発性物質を拡散させるための装置（１、１１、２１、３１）。
【請求項４】
前記空気入口は、前記容器（４）と前記ファン（２）とに対して実質的に直線状に配置されている、
請求項２又は３に記載の少なくとも１つの揮発性物質を拡散させるための装置（１、１１、２１、３１）。
【請求項５】
空気流がたどる流路は、０〜４５°の角度だけ偏向され得る、
請求項２乃至４のいずれか一項に記載の少なくとも１つの揮発性物質を拡散させるための装置（１、１１、２１、３１）。
【請求項６】
前記空気出口（６）は、前記容器（４）と前記ファン（２）とのアセンブリと整列されている、
請求項２乃至５のいずれか一項に記載の少なくとも１つの揮発性物質を拡散させるための装置（１、１１、２１、３１）。
【請求項７】
前記装置は、その空気入口とその空気出口との間に長手方向軸を有し、
前記空気入口と、前記容器（４）と、前記ファン（２）と、前記空気出口とは、前記装置の前記長手方向軸に沿って配置されている、
請求項１乃至６のいずれか一項に記載の少なくとも１つの揮発性物質を拡散させるための装置（１、１１、２１、３１）。
【請求項８】
前記ファン（２）の出口が前記容器の前記少なくとも１つの流通ダクトと整列されるように、前記ファンは前記容器（４）の上流に配設されている、
請求項１乃至７のいずれか一項に記載の少なくとも１つの揮発性物質を拡散させるための装置（１、１１、２１、３１）。
【請求項９】
前記ファン（２）の入口が前記容器の前記少なくとも１つの流通ダクトと整列されるように、前記ファン（２）は前記容器（４）の下流に配設されている、
請求項１乃至７のいずれか一項に記載の少なくとも１つの揮発性物質を拡散させるための装置（１、１１、２１、３１）。
【請求項１０】
前記容器は、複数の空気流通ダクトと、前記複数の空気流通ダクトのうちから少なくとも１つの空気流通ダクトを選択するための選択手段（３、５）と、を有している、
請求項１乃至９のいずれか一項に記載の少なくとも１つの揮発性物質を拡散させるための装置（１、１１、２１、３１）。
【請求項１１】
前記選択手段（３、５）は、前記空気流通ダクトの少なくとも１つを開放及び閉鎖するように複数の位置の間を移動可能である、
請求項１０に記載の少なくとも１つの揮発性物質を拡散させるための装置（１、１１、２１、３１）。
【請求項１２】
前記選択手段（３、５）は、回転軸（６０）の周りを回転移動可能である、
請求項１０又は１１に記載の少なくとも１つの揮発性物質を拡散させるための装置（１、１１、２１、３１）。
【請求項１３】
前記選択手段（３、５）は、前記容器に配設された少なくとも１つのディスク（５）であって、前記複数の空気流通ダクトから選択された流通ダクトを通過する空気流の形成を可能にする開口が設けられたディスク（５）を有している、
請求項１２に記載の少なくとも１つの揮発性物質を拡散させるための装置（１、１１、２１、３１）。
【請求項１４】
少なくとも前記ファン（２）と前記容器（４）とを収容するハウジングを有し、
前記ハウジングは、前記空気入口を形成する第１開口と、前記空気出口（６）を形成する第２開口と、を有している、
請求項１乃至１３のいずれか一項に記載の少なくとも１つの揮発性物質を拡散させるための装置（１、１１、２１、３１）。
【請求項１５】
前記容器（４）は取外し可能である、
請求項１乃至１４のいずれか一項に記載の少なくとも１つの揮発性物質を拡散させるための装置（１、１１、２１、３１）。
【請求項１６】
前記少なくとも１つの揮発性物質を拡散させるための装置（１、１１、２１、３１）は、前記容器の存在を検出する少なくとも１つの存在センサを有している、
請求項１乃至１５のいずれか一項に記載の少なくとも１つの揮発性物質を拡散させるための装置（１、１１、２１、３１）。
【発明の詳細な説明】
【技術分野】
【０００１】
本発明は、少なくとも１つの揮発性物質、特に１つの香料を拡散させるための装置に関する。より具体的には、本発明は、空気入口と、所定量の揮発性物質を収容するための容器と、空気出口と、空気入口から容器を経由して空気出口へと流通する空気流を生成するように設計されたファンと、を有する、少なくとも１つの揮発性物質を拡散させるための装置に関する。
【背景技術】
【０００２】
近年、自動車製造業者は、例えば、揮発性物質を自動車の内部に拡散させ得るシステムを組み込むことを希望する場合がある。
【０００３】
自動車用に設計された揮発性物質拡散装置は、一般に、１つの揮発性物質を収容することが意図された１つの容器を有している。したがって、ユーザは、１つ又は複数の他の揮発性物質を選択して車内に拡散させるという選択肢を有していない。
【０００４】
揮発性物質の拡散装置を自動車の内部に組み込むために利用できるスペースに関する制約を考慮すると、最もコンパクトな揮発性物質拡散装置を開発する需要が変わらず存在している。
【発明の概要】
【０００５】
本発明の目的は、自動車内で使用するのに適した揮発性物質拡散装置であって、比較的複雑な機能を有しているが小さい体積の揮発性物質拡散装置を、自動車のユーザに提供することである。
【０００６】
更に、本発明は、ユーザの選択に応じて、自動車の内部で拡散される１つの揮発性物質または少なくとも第１及び第２揮発性物質を拡散させるという選択肢を提供する、少なくとも１つの揮発性物質を拡散させるための装置を提案する。
【０００７】
したがって、本発明は、
‐  空気入口と、
‐  空気出口と、
‐  前記空気入口と前記空気出口との間に配設され、少なくとも１つの所定量の揮発性物質を貯蔵し且つ拡散させるように設計された少なくとも１つの拡散要素を収容する容器であって、空気流が流通することを可能にするように設計された少なくとも１つの空気流通ダクトが設けられた容器と、
‐  前記空気入口と前記空気出口との間に配設されたファンであって、前記空気入口と前記空気出口との間を流通する空気流を生成可能であるファンと、
を有し、
前記容器と前記ファンは、前記ファンと前記容器との間を流通する空気流の方向が、前記容器の前記流通ダクト内を流通する空気流の方向に整列するような態様で配設されている、少なくとも１つの揮発性物質を拡散させるための装置に関する。
【０００８】
本発明の一実施形態によれば、前記容器と前記ファンとを通過する空気流の流路は、実質的に直線状である。
【０００９】
本発明の一実施形態によれば、前記容器と前記ファンは、互いに積層されている。
【００１０】
本発明の一実施形態によれば、前記空気入口は、前記容器と前記ファンとに対して実質的に直線状に配置されている。
【００１１】
本発明の一実施形態によれば、前記空気流がたどる流路は、０〜４５°の角度だけ偏向され得る。
【００１２】
本発明の一実施形態によれば、前記空気出口は、前記容器と前記ファンとのアセンブリと整列されている。
【００１３】
本発明の一実施形態によれば、前記拡散装置は、その空気入口とその空気出口との間に長手方向軸を有し、前記空気入口と、前記容器と、前記ファンと、前記空気出口とは、前記装置の前記長手方向軸に沿って配置されている。
【００１４】
本発明の一実施形態によれば、前記ファンの出口が前記容器の前記少なくとも１つの流通ダクトに整列されるように、前記ファンは前記容器の上流に配設されている。
【００１５】
本発明の一実施形態によれば、前記ファンの入口が前記容器の前記少なくとも１つの流通ダクトに整列されるようにして、前記ファンは前記容器の下流に配設されている。
【００１６】
本発明の一実施形態によれば、前記容器は、複数の空気流通ダクトと、前記複数の空気流通ダクトのうちから少なくとも１つの空気流通ダクトを選択するための選択手段と、を有している。
【００１７】
本発明の一実施形態によれば、前記選択手段は、前記空気流通ダクトの少なくとも１つを開放及び閉鎖するように複数の位置の間を移動可能である。
【００１８】
本発明の一実施形態によれば、前記選択手段は、回転軸の周りを回転移動可能である。
【００１９】
本発明の一実施形態によれば、前記選択手段は、前記容器に配設された少なくとも１つのディスクであって、前記複数の空気流通ダクトから選択された流通ダクトを通過する空気流の形成を可能とする開口が設けられたディスクを有している。
【００２０】
本発明の一実施形態によれば、前記少なくとも１つの揮発性物質を拡散させるための装置は、少なくとも前記ファンと前記容器とを収容するハウジングを有し、前記ハウジングは、前記空気入口を形成する第１開口と、前記空気出口を形成する第２開口と、を有している。
【００２１】
本発明の一実施形態によれば、前記容器は取外し可能である。
【００２２】
本発明の一実施形態によれば、前記少なくとも１つの揮発性物質を拡散させるための装置は、前記容器の存在を検出する少なくとも１つの存在センサを有している。
【００２３】
これらの技術的特徴により、本発明による少なくとも１つの揮発性物質を拡散させるための装置は、同一方向に積層され得る構成要素を有し、これにより、少なくとも１つの揮発性物質を拡散させるための装置のコンパクトな設計を得ることが可能とされている。したがって、この揮発性物質拡散器が占める体積は最小となる。更に、種々の構成要素を積層することにより、空気入口から出口に向かう空気流のルートを直線方向に得ることが可能となる。換言すれば、本発明による少なくとも１つの揮発性物質を拡散させるための装置の入口と出口との間で移動する空気流は、直線ルートをたどるものであり、空気の移動を妨げ重大な圧力降下を引き起こし得る湾曲路を強制的にたどることにより課される力を受けることがない。
【００２４】
本発明の目標、目的及び特徴、並びにその利点は、本発明による少なくとも１つの揮発性物質を拡散させるための装置のいくつかの好適な実施形態についての、図面を参照してなされる以下の説明を読むことでより明瞭になるであろう。
【図面の簡単な説明】
【００２５】
【図１】本発明の一実施例による、少なくとも１つの揮発性物質を拡散させるための装置の分解概略図。
【図２】アクチュエータと選択手段と有し、選択手段とアクチュエータとは同軸である、少なくとも１つの揮発性物質を拡散させるための装置の概略図。
【図３】特に、アクチュエータと、選択手段と、噛み合い要素とを有する少なくとも１つの揮発性物質を拡散させるための装置の概略図。
【図４】特に、アクチュエータと、選択手段と、連結ベルトとを有する少なくとも１つの揮発性物質を拡散させるための装置の概略図。
【図５】所定量の揮発性物質を貯蔵するための複数のキャビティを有する容器の上方からの概略図。
【図６】本発明による選択手段の一実施形態を示す図。
【発明を実施するための形態】
【００２６】
図１は、少なくとも１つの揮発性物質を拡散させるための装置１の概略図である。拡散装置１は、下記の種々の構成要素を内部に収容するように設計されたハウジング１０を含んでいる。ハウジング１０には、少なくとも１つの揮発性物質を拡散させるための装置１に空気が入ることを可能にするために空気入口として使用される開口（図示せず）と、少なくとも１つの揮発性物質を拡散させるための装置１の外部に空気が出ることを可能にする空気出口６と、が設けられている。開口は、ハウジングの上壁に、又はハウジングの側壁に存在する開口により形成されている。空気出口６は、ハウジング１０の上壁に存在する開口を用いて形成されている。或いは、空気出口６１は、拡散装置１の所望の用途に応じて、ハウジング１０の側壁に形成されていてもよい。少なくとも１つの揮発性物質を拡散させるための装置１は、ハウジング１０の内部に配設されたファン２であって、空気入口から空気出口６に向けて流れる空気流を生成するように設計されたファン２を有している。
【００２７】
少なくとも１つの揮発性物質を拡散させるための装置１は、ハウジング１０の内部において、所定量の１つ又は複数の揮発性物質、特に１つ又は複数の香料を貯蔵するように設計された容器４を有している。一実施形態によれば、取外し可能な容器４は、所定量の１つ又は複数の揮発性物質を貯蔵し且つ拡散させるように設計された拡散要素を有している。したがって、例えば容器４の内容物が消費された時、容器４を取り外して同一タイプの別の容器に交換したり、容器４に新たな所定量の揮発性物質を充填したりすることができる。本発明による容器４の１つの可能な形態を、図５により詳細に示す。
【００２８】
少なくとも１つの揮発性物質を拡散させるための装置１は、ハウジング１０の内部において、開口３１、５１をそれぞれ有する選択手段３、５を有している。選択手段３、５は、空気流が開口３１、５１を介して流れることができるように設計されている。選択手段３、５は、拡散装置１の長手方向回転軸６２を有している。選択手段３、５の作用について、図５及び図６を参照して詳細に説明する。
【００２９】
選択手段３、５は、回転軸６２に連結されている。したがって、選択手段３に存在する開口３１が選択手段５に存在する開口５１と整列されるように、選択手段３、５は、同時に回転を開始する。
【００３０】
種々の構成要素、すなわち、ファン２、選択手段３、５、及び容器４は、図１、図２、図３及び図４に示すように、積層軸６０に沿って互いに積層して配置されており、これにより、少なくとも１つの揮発性物質を拡散させるための装置１が最小限まで縮小された容積を有する。
【００３１】
積層体における構成要素の順番は、拡散装置１の所望の用途に応じて変更され得る。したがって、別の例として、ファン２を容器４の下流に配置してもよい。
【００３２】
拡散装置１の最小のコンパクト性を得るべく、ファン２が容器４の上流に配置されている場合、ファン２の出口は容器４の入口と直接接触していてもよい。同様に、容器２がファン２の上流に配置されている場合、容器４の出口はファン２の入口と直接接触していてもよい。
【００３３】
ファン２と、選択手段３、５と、容器４とを積層軸６０を中心として積層することにより、容器４及びファン２がそれぞれ存在する平面に垂直な流路を有する空気流を得ることが可能となる。好適には、空気流の流路は、回転軸６０から０°〜４５°間の角度だけ偏向され得る。
【００３４】
容器４及びファン２に対して実質的に直線的な流路を有する空気流を空気入口と空気出口との間において得るような態様において、空気入口と空気出口とを積層軸６０に沿って配置してもよい。或いは、空気入口及び／又は空気出口を、ハウジング１０の側壁に配置してもよい。
【００３５】
容器４と、ファン２と、選択手段３、５とを積層することにより、一方では拡散装置１のコンパクト性を向上させることができ、他方では、拡散装置１の内部を流れる空気の圧力が、特に空気流が容器４を通過する前に降下することを制限することができる。したがって、有利には、拡散装置１の使用により、少なくとも１つの揮発性物質を最適に拡散させることが可能となるか、あるいは、空気流を拡散装置１内で流すために必要なファン２の動力を削減することが可能となる。
【００３６】
図２は、図１の少なくとも１つの揮発性物質を拡散させるための装置１と同様の構成要素を有し、同様に設計された少なくとも１つの揮発性物質を拡散させるための装置１１を示す。ファン２が、選択手段３、５の開口３１、５１により組み付けられた流通ダクトを使用することにより容器４を通過する空気流を作り出すように使用される。図２によれば、少なくとも１つの揮発性物質を拡散させるための装置１１は、選択手段３、５の回転軸６０に中心合わせされたアクチュエータ７を有しており、選択手段３、５の容器４に対する最適な位置を選択することが可能とされている。例えば、アクチュエータ７は、ステッピングモータ又はＤＣモータであり得る。
【００３７】
図３に示す別の実施形態は、図１の少なくとも１つの揮発性物質を拡散させるための装置１と同様の構成要素を有する、少なくとも１つの揮発性物質を拡散させるための装置２１を示す。少なくとも１つの揮発性物質を拡散させるための装置２１は、噛み合い要素１８、１９を有するギア付き装置によって選択手段３、５の外周に接触して配置されたアクチュエータ１７を示している。このように、アクチュエータ１７を容器４の近傍に配置することにより、少なくとも１つの揮発性物質を拡散させるための装置２１の高さを、図２の少なくとも１つの揮発性物質を拡散させるための装置１１の高さより小さくすることができる。
【００３８】
図４に示す更に別の実施形態は、図１の少なくとも１つの揮発性物質を拡散させるための装置１と同様の構成要素を有する、少なくとも１つの揮発性物質を拡散させるための装置３１を示す。少なくとも１つの揮発性物質を拡散させるための装置３１は、少なくとも１つの連結ベルト２８を有するアクチュエータ２７を有している。アクチュエータ２７が回転駆動されると、連結ベルト２８は選択手段３、５に力が加えられることを可能とし、こうして選択手段３、５が回転駆動される。図３に示す実施形態と同様に、図４の実施形態は、少なくとも１つの揮発性物質を拡散させるための装置３１の高さが、図２の少なくとも１つの揮発性物質を拡散させるための装置１１の高さよりも相対的に低いことを示す。
【００３９】
図５は、所定量の揮発性物質の貯蔵を可能とする容器の一実施形態を上方から見た図である。容器４は、内部にスロット４１が存在する本体４０を有している。スロット４１は、容器４が、図１乃至図４に示すように、少なくとも１つの揮発性物質を拡散させるための装置１、１１、２１、３１に挿入されることを可能にする。図６に示すように、スロット４１は、選択手段３、５の回転軸６２が容器４を通ることができるようにするために必要である。容器４は、１つ又は複数のキャビティを有している。ある１つ例によれば、容器４は、所定量の揮発性物質をそれぞれ受容可能な複数のキャビティ４２、４３、４４を有している。図５において、キャビティ４２、４３、４４には、１つ又は複数の格子４５、５５が設けられている。格子４５、５５の間に、所定量のビーズを収容する袋等の拡散要素を配置することができる。格子４５、５５の厚さは、比較的小さい。すなわち、格子４５、５５は、容器４を流れる空気流が通過可能なバリアを呈している。格子４５に、又は格子４５と格子５５との間に配置され得るビーズの袋は、所定量の揮発物質が表面に設けられたマイクロビーズを有している。図示された例による容器４は、３つのキャビティ４２、４３、４４を有しているため、所定量の揮発物質を含浸させたマイクロビーズを収容する３つの袋を受け入れ可能となっている。第１の選択肢によれば、揮発性物質は別箇のものであり、これによりユーザは、どの揮発性物質を自動車の内部に拡散させたいか自由に選択することができる。第２の可能性は、第１の袋に１つの揮発性物質を設けることであり、他の単数又は複数の袋がこの１つの揮発性物質の予備を構成可能となっている。これにより、第１の袋内の１つの揮発性物質が消費され始める不都合を回避することができる。
【００４０】
ある１つの例によれば、容器４は、拡散要素を設けられていない１つ又は複数のキャビティ４６、４７を有している。キャビティ４６、４７は、ユーザが揮発性物質を車内に拡散させることを望まない場合に、空気流が流れることを可能とするように使用される。アクチュエータ７、１７、２７により、選択手段３、５の開口３１、５１は、少なくとも１つの揮発性物質を拡散させるための装置１、１１、２１、３１をユーザの希望に応じて使用することができるような態様で配置されている。キャビティ４２、４３、４４に異なる揮発性物質が設けられている場合、ユーザはその車両の内部に拡散させたい揮発性物質の種類を選択することができる。ユーザが揮発性物質をその車内に拡散させることを望まない場合には、選択手段３、５の開口３１、５１を、揮発性物質を設けられていない１つ又は複数のキャビティ４７に整列させる。
【００４１】
キャビティ４２、４３、４４、４６及び４７は、ファンにより生成された空気流が流れることを可能にするよう、空気流通ダクトをそれぞれ形成している。
【００４２】
少なくとも１つの揮発性物質を拡散させるための装置１、１１、２１、３１を使用する場合、選択手段３、５を容器４の下面及び上面の近傍に、すなわち、容器４の上方及び下方にそれぞれ配置する。この目的は、選択手段３、５がキャビティ４２、４３、４４を密閉することを確実にすることである。したがって、揮発性物質を拡散させるために使用されないキャビティは、他のキャビティ４２、４３、４４に貯蔵されている他の揮発性物質が蒸発しないように、且つこれらの他の香料が自動車の内部に拡散しないように、最適に閉鎖される。したがって、ユーザにより選択された揮発性物質が、例えばキャビティ４２に貯蔵された揮発性物質に相当する場合、選択手段３、５は、キャビティ４２を開放したままにしつつ、他のキャビティ４３、４４、４６、４７を閉鎖するように設計されている。同様に、ユーザが揮発性物質を自動車の内部に拡散させたくない場合、選択手段３、５は、揮発性物質が設けられた１つ又は複数のキャビティ４２、４３、４４を閉鎖し、揮発性物質が設けられていない１つ又は複数のキャビティ４６、４７を閉鎖しないままにするように設計されている。このような機能は、確かな利点を提供する。具体的には、一方で、ある揮発性物質の拡散中に、複数の揮発性物質が混合されることが回避されるとともに、他方で、ユーザが揮発性物質を拡散させることを望まないときには、揮発性物質が自動車の内部に揮発することが回避される。
【００４３】
ある実施形態によれば、選択手段３、５の開口３１、５１の位置は、自動車の内部に拡散させる揮発性物質の正確な量を確定するように規定され、ファン２により生成される空気流と組み合わせて利用される。
【００４４】
選択手段３、５及びそれらの開口３１、５１は、空気流が１つのキャビティ、例えばキャビティ４３の内部を流れることを可能とするような態様で配置され得る。次いで、開口３１、５１は、キャビティ４３の上端及び下端を完全に開放するような態様で配置され、ファン２が大なり小なりある強度の空気流を生成するように使用され得る。これにより、キャビティ４３に貯蔵された揮発性物質の多少なりとも顕著な拡散が自動車の内部に生じる。
【００４５】
或いは、ファン２を使用して生成された一定の空気流とともに、キャビティ４３を多少なりとも閉鎖して、キャビティ４３を流れる空気流を多かれ少なかれ生成してもよい。したがって、キャビティ４３が完全に開放されている場合、拡散される揮発性物質の量はより多くなる。
【００４６】
キャビティ４２、４３、４４の部分的開放と、ファン２を使用して生成された空気流との組み合わせにより、自動車の内部に拡散される揮発性物質の量を確定することができるということに留意されたい。
【００４７】
少なくとも１つの揮発性物質を拡散させるための装置１、１１、２１、３１は、制御手段（図示せず）に連結されている。特に、制御手段は、少なくとも１つの揮発性物質を拡散させるための装置１、１１、２１、３１の使用に際して、ファン２の速度及びアクチュエータ７、１７、２７の駆動を管理して選択手段３、５の正確な位置を規定する電子回路を有している。一実施形態によれば、拡散装置１、１１、２１、３１は、選択手段３、５の位置を検出する検出装置を有している。
【００４８】
少なくとも１つの揮発性物質を拡散させるための装置１、１１、２１、３１についての負荷サイクルを規定することが可能である。このようなサイクルの間に、揮発性物質を拡散させる時間と揮発性物質を拡散させない時間とを、所定の時間に亘って交互に設けてもよい。例えば、ユーザは、毎分１０秒の拡散時間が想定される拡散サイクルを決定し、これを１０分間なし得る。このような決定されたサイクルは、揮発性物質の漸進的拡散を実現して、揮発性物質で含浸されたビーズのより長い使用時間を可能にするように利用され得る。
【００４９】
或いは、少なくとも１つの揮発性物質を拡散させるための装置１、１１、２１、３１の稼働の開始を、自動車のユーザ側の動作に関連付けてもよい。具体的には、例えば、ユーザが車両を始動すると、揮発性物質の拡散の第１サイクルが開始されてもよい。揮発性物質の拡散の拡散操作または停止操作は、例えば窓のリフターの稼働やラジオの電源オン等の他の動作に関連付けられてもよい。
【００５０】
一実施形態によれば、装置のハウジングは、固定クリップにより連結されたハーフハウジングにより形成されている。
【００５１】
本発明による拡散装置１、１１、２１、３１は、当該拡散装置が使用される自動車の電力供給システムに恒久的に連結されるように設計され得る。
【００５２】
或いは、拡散装置１、１１、２１、３１に電気コネクタが設けられ、自動車の内部に配設された煙草用ライター等の電気装置によって、自動車の電力供給システムに取外し可能に連結され得る。
【００５３】
或いは、拡散装置１、１１，２１、３１は、独立型電力供給装置によって給電され得る。
【図１】
2017533006.tif 000003
【図２】
2017533006.tif 000004
【図３】
2017533006.tif 000005
【図４】
2017533006.tif 000006
【図５】
2017533006.tif 000007
【図６】
2017533006.tif 000008
【国際調査報告】
2017533006.tif 000009
2017533006.tif 000010
2017533006.tif 000011
2017533006.tif 000012
2017533006.tif 000013
2017533006.tif 000014